(57)【要約】【課題】リサイクルの容易なクリヤーポケットを提供する。【解決手段】クリヤーポケットは、四角形状をなし、一縁部が開口した袋状の収容部と、該収容部の他縁部に沿って配置されており、綴じ具に綴じる為の綴じ孔を有する袋状の綴じ部と、該綴じ孔に対応した貫通孔を有し、前記綴じ部に収容された補強シートとを備え、前記補強シート及び収容部は、透明または透光性を有する部材によって構成されている。補強シート及び収容部には着色材料が使用されていないので、リサイクルの際に除去する必要がない。【選択図】図１
2019111686.tif 000002
【特許請求の範囲】
【請求項１】
四角形状をなし、一縁部が開口した袋状の収容部と、
該収容部の他縁部に沿って配置されており、綴じ具に綴じる為の綴じ孔を有する袋状の綴じ部と、
該綴じ孔に対応した貫通孔を有し、前記綴じ部に収容された補強シートと
を備え、
前記補強シート及び収容部は、透明または透光性を有する部材によって構成されている
クリヤーポケット。
【請求項２】
前記補強シート及び収容部を構成する部材は同じ材料を含む
請求項１に記載のクリヤーポケット。
【請求項３】
前記補強シートの一面または両面に凹凸が形成されている
請求項１または２に記載のクリヤーポケット。
【請求項４】
前記綴じ部は、重畳したシート体によって構成されており、
前記補強シートの厚みは、前記シート体の厚み以上である
請求項１から３のいずれか一つに記載のクリヤーポケット。
【発明の詳細な説明】
【技術分野】
【０００１】
本技術は、綴じ具に収容されるクリヤーポケットに関する。
【背景技術】
【０００２】
従来、表紙に綴じ具を設け、該綴じ具に複数のクリヤーポケットを綴じたクリヤーブックが提案されている。クリヤーポケットは四角形状をなし、その一縁部に開口が設けられており、前記一縁部に直角な他縁部に複数の綴じ孔が形成されている。ユーザは必要に応じて、クリヤーポケットを追加するか、または取り外すことができる（例えば特許文献１参照）。
【先行技術文献】
【特許文献】
【０００３】
【特許文献１】登録実用新案第３１６７５６５号公報
【発明の概要】
【発明が解決しようとする課題】
【０００４】
綴じ孔を設けた部分は、綴じ具に接触しているので、劣化しやすい。そのため、綴じ孔の周囲を補強することが考えられる。近年では、環境に配慮した製品を作製することが求められており、綴じ孔の周囲を補強する場合にも同様な配慮が必要である。
【０００５】
本開示は斯かる事情に鑑みてなされたものであり、リサイクルの容易なクリヤーポケットを提供することを目的とする。
【課題を解決するための手段】
【０００６】
本開示に係るクリヤーポケットは、四角形状をなし、一縁部が開口した袋状の収容部と、該収容部の他縁部に沿って配置されており、綴じ具に綴じる為の綴じ孔を有する袋状の綴じ部と、該綴じ孔に対応した貫通孔を有し、前記綴じ部に収容された補強シートとを備え、前記補強シート及び収容部は、透明または透光性を有する部材によって構成されている。
【０００７】
本開示においては、補強されていることを視覚的に強調するために、補強シートを着色することが考えられるが、着色材料を含む補強シートは、リサイクルを行う場合、除去する必要がある。本開示においては、透明であるか、または透光性を有するので、補強シート及び収容部には着色材料が使用されていない。着色材料を使用しないので、リサイクルの際に除去する必要がない。
【０００８】
本開示に係るクリヤーポケットは、前記補強シート及び収容部を構成する部材は同じ材料を含む。
【０００９】
本開示においては、補強シート及び収容部は、いずれも同じ材料を含み、いずれもリサイクルすることができる。
【００１０】
本開示に係るクリヤーポケットは、前記補強シートの一面または両面に凹凸が形成されている。
【００１１】
本開示においては、補強シートに凹凸が形成されているので、補強シートの強度を向上させることができる。また補強シートは白濁したように視認され、その存在が視覚的に強調され、補強されていることが強調される。
【００１２】
本開示に係るクリヤーポケットは、前記綴じ部は、重畳したシート体によって構成されており、前記補強シートの厚みは、前記シート体の厚み以上である。
【００１３】
本開示においては、補強シートの厚みは、綴じ部を構成するシート体の厚み以上である。そのため、シート体のみを重畳させて綴じ部を形成する場合に比べて、補強シートを用いた場合、綴じ孔の周囲の強度がより大きくなる。
【発明の効果】
【００１４】
本開示に係るクリヤーポケットにあっては、補強シート及び収容部は同様な材料によって構成されており、また透明であるか、または透光性を有するので、補強シート及び収容部には着色材料が使用されていない。着色材料を使用しないので、リサイクルの際に、着色した部材を除去する必要がなく、リサイクルの工程を削除することができる。
【図面の簡単な説明】
【００１５】
【図１】クリヤーポケットを略示する平面図である。
【図２】図１に示すＩＩ−ＩＩ線を切断線とした略示断面図である。
【図３】補強シートを略示する部分拡大平面図である。
【図４】図３に示すＩＶ−ＩＶ線を切断線とした略示断面図である。
【図５】シート原反のみで綴じ部を形成する方法を説明する説明図である。
【発明を実施するための形態】
【００１６】
以下本発明を、実施の形態に係るクリヤーポケット１を示す図面に基づいて説明する。以下の説明では、図に示す上下前後左右を使用する。図１は、クリヤーポケット１を略示する平面図、図２は、図１に示すＩＩ−ＩＩ線を切断線とした略示断面図である。クリヤーポケット１は矩形の収容部２を備える。収容部２は、上下に対向する二つのシート体２ａを有し、シート体２ａの長辺は前後方向に延び、短辺は左右方向に延びる。二つのシート体２ａの右縁部は連なっており、二つのシート体２ａの前縁部は溶着されており、二つのシート体２ａの左縁部は溶着されている。以下、二つのシート体２ａの前縁部を第一溶着部１１と称し、左縁部を第二溶着部１２と称する。二つのシート体２ａの後縁部は開口している。即ち、収容部２は後縁部が開口した袋状をなす。
【００１７】
第二溶着部１２の左側に、筒状の綴じ部３が設けられている。綴じ部３は前後方向に延びており、綴じ部３の前端部及び後端部が開口している。綴じ部３は、柔軟なシート体３ｂを筒状に形成することによって構成されている。平面視において、綴じ部３は前後に延びた帯状をなし、綴じ部３の左縁部には第三溶着部１３が形成されている。即ち、綴じ部３は、上下に配置された二つのシート体３ｂの左右縁部を溶着させて形成されており、第二溶着部１２及び第三溶着部１３の間に形成されている。綴じ部３には、前後方向に並んだ複数の綴じ孔３ａが形成されている。綴じ孔３ａは綴じ部３を上下方向に貫通している。
【００１８】
筒状の綴じ部３の内側には、帯状の補強シート４が配置されている。補強シート４の前後寸法及び左右寸法は、綴じ部３の前後寸法及び左右寸法と略同じか、または綴じ部３の前後寸法及び左右寸法よりも若干小さい。補強シート４には、綴じ孔３ａに対応した複数の貫通孔４ａが設けられている。貫通孔４ａは上下方向に貫通しており、綴じ孔３ａに対して同軸的に配置される。例えば、綴じ孔３ａ及び貫通孔４ａに、クリヤーブックの表紙の裏面に設けられたリング状の綴じ具を挿入することによって、クリヤーポケット１を前記表紙に綴じることができる。
【００１９】
図３は、補強シート４を略示する部分拡大平面図、図４は、図３に示すＩＶ−ＩＶ線を切断線とした略示断面図である。補強シート４には、複数の小さな凹部４ｂ及び凸部４ｃが形成されている。補強シート４の一面に凹部４ｂが形成されている場合、補強シート４の他面においては、前記凹部４ｂに対向する位置に凹部４ｂが形成されている。なお補強シート４の一面または他面のみに凹部４ｂ及び凸部４ｃを形成してもよい。凹部４ｂ及び凸部４ｃのパターンは限定されるものではなく、例えば、平目及びアヤ目を含むローレット目、ダイヤ紋、または玉虫紋などが挙げられる。
【００２０】
補強シート４及び収容部２は同じ材料で構成されており、例えば、ポリプロピレン材によって構成されている。収容部２は透明であり、補強シート４は、凹部４ｂ及び凸部４ｃによって若干白濁しているが、透光性を有する。なお補強シート４に凹部４ｂ及び凸部４ｃを形成せずに、補強シート４を透明にしてもよい。補強シート４の厚みは、シート体２ａの厚みよりも大きい。例えばシート体２ａの厚みは０．０６ｍｍであり、補強シート４の厚みは０．０９ｍｍである。また筒状の綴じ部３の厚みはシート体２ａと略同じ厚みである。
【００２１】
補強シート４及び収容部２を構成する部材は、透明であるか、または透光性を有するリサイクル可能な部材であればよい。例えば、ポリプロピレン材に代えて、ポリエチレンテフタレート材、塩化ビニル材、ポリエチレン材、またはナイロン樹脂材などを使用してもよい。またリサイクル可能且つ、透明であるかまたは透光性を有する限り、補強シート４及び収容部２は複数の材料によって構成されていてもよい。
【００２２】
実施の形態に係るクリヤーポケット１にあっては、補強シート４及び収容部２は同様な材料によって構成されており、且つ両者は透明であるか、または透光性を有する。即ち、補強シート４及び収容部２には着色材料が使用されていない。補強されていることを強調させるために、補強シート４を着色することが考えられる。しかし、着色材料を有する補強シート４はリサイクルの対象から外す必要があり、リサイクルの際に、補強シート４を綴じ部３から除去しなくてはならない。実施の形態にあっては、補強シート４は着色材料を使用しないので、リサイクルの際に除去する必要がなく、着色している場合に比べて、リサイクルの工程を削除することができる。
【００２３】
また補強シート４に凹部４ｂ及び凸部４ｃを形成することによって、補強シート４の強度を向上させることができる。また補強シート４が透明であっても、凹部４ｂ及び凸部４ｃによって、補強シート４は白濁したように視認され、その存在が視覚的に強調される。そのため、着色せずとも、綴じ部３が補強されていることを強調することができる。
【００２４】
また補強シート４の厚みは、綴じ部３を構成するシート体３ｂの厚み以上である。図５は、シート原反２０のみで綴じ部３を形成する方法を説明する説明図である。綴じ部３を形成する場合に、シート原反２０のみで形成することが考えられる。なおシート原反２０の厚みはシート体２ａと同じである。シート原反２０を折り曲げて、シート原反２０の一端部２１を他端部２２で包み、シート原反２０の一端部２１の両面に、シート原反２０の他端部２２を対向させ、三重に重畳させて、一端部２１及び他端部２２を溶着する。この場合、綴じ部３の厚みは、シート原反２０の厚みの三倍になる。シート原反２０の厚みがシート体２ａの厚みと同じ０．０６ｍｍである場合、０．１８ｍｍとなる。
【００２５】
一方、実施の形態に係るクリヤーポケット１は、綴じ部３を構成するシート体３ｂの厚みを、シート原反２０と同じ０．０６ｍｍとすると、重畳した綴じ部３の二つのシート体３ｂの厚みの合計は０．１２ｍｍとなる。補強シート４の厚みを０．０９ｍｍとすると、補強シート４及び綴じ部３全体の厚みは、０．２１ｍｍとなる。そのため、シート体２ａのみを重畳させて、綴じ部３を形成する場合に比べて、補強シート４を用いた場合には、補強シート４及び綴じ部３全体の厚みが大きくなり、綴じ孔３ａの周囲の強度がより大きくなる。なお補強シート４の厚みは、シート体３ｂの厚みと略同じであってもよい。
【００２６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００２７】
１  クリヤーポケット
２  収容部
３  綴じ部
３ａ  綴じ孔
４  補強シート
４ａ  貫通孔
４ｂ  凹部
４ｃ  凸部
【図１】
2019111686.tif 000003
【図２】
2019111686.tif 000004
【図３】
2019111686.tif 000005
【図４】
2019111686.tif 000006
【図５】
2019111686.tif 000007